(57)【要約】【課題】  移動端末に付随する機能の動作モードを効率的に設定することを目的とする。【解決手段】  移動端末は、複数の動作モードを有する機能部；セル識別子のリストと動作モードとの対応関係を格納する記憶部；基地局から複数のセル識別子を受信する受信部；及び前記受信部で受信した複数のセル識別子と前記記憶部に格納されたセル識別子のリストとの比較結果に基づいて、前記機能部の動作モードを選択する制御部；を有する。【選択図】  図３
2010251984.tif 000002
【特許請求の範囲】
【請求項１】
複数の動作モードを有する機能部；
セル識別子のリストと動作モードとの対応関係を格納する記憶部；
基地局から複数のセル識別子を受信する受信部；及び
前記受信部で受信した複数のセル識別子と前記記憶部に格納されたセル識別子のリストとの比較結果に基づいて、前記機能部の動作モードを選択する制御部；
を有する移動端末。
【請求項２】
前記記憶部は、セル識別子のリストと動作モードと優先度との対応関係を格納し、
前記制御部は、比較結果に基づいて選択された複数の動作モードのうち、優先度の高い方の動作モードを選択する、請求項１に記載の移動端末。
【請求項３】
前記記憶部は、優先度として使用時間を使用し、
前記制御部は、比較結果に基づいて選択された複数の動作モードのうち、使用時間の長い方の動作モードを選択する、請求項２に記載の移動端末。
【請求項４】
前記機能部が使用中である場合、使用終了後に、前記機能部の動作モードを前記制御部で選択された動作モードに切り替える動作モード設定部；
を更に有する、請求項１乃至３のうちいずれか１項に記載の移動端末。
【請求項５】
前記記憶部は、対応関係を自動的に更新するか否かについての情報を更に格納し、
前記記憶部が対応関係を自動的に更新するという情報を格納する場合に、前記制御部は、前記受信部で受信したセル識別子に基づいて、前記記憶部に格納された対応関係を更新する、請求項１乃至４のうちいずれか１項に記載の移動端末。
【請求項６】
前記記憶部は、動作モードを自動的に切り替えるか否かについての情報を更に格納し、
前記記憶部が動作モードを自動的に切り替えるという情報を格納する場合に、前記制御部は、前記機能部の動作モードを選択する、請求項１乃至５のうちいずれか１項に記載の移動端末。
【請求項７】
複数の動作モードを有する機能部が含まれる移動端末における動作モード切替方法であって：
セル識別子のリストと動作モードとの対応関係を記憶部に格納するステップ；
基地局から複数のセル識別子を受信するステップ；及び
受信した複数のセル識別子と前記記憶部に格納されたセル識別子のリストとの比較結果に基づいて、前記機能部の動作モードを選択するステップ； 
を有する動作モード切替方法。
【請求項８】
基地局と移動端末とを有する移動通信システムであって：
前記基地局は、
セル識別子を送信する送信部；
を有し、
前記移動端末は、
複数の動作モードを有する機能部；
セル識別子のリストと動作モードとの対応関係を格納する記憶部；
複数のセル識別子を受信する受信部；及び
前記受信部で受信した複数のセル識別子と前記記憶部に格納されたセル識別子のリストとの比較結果に基づいて、前記機能部の動作モードを選択する制御部；
を有する移動通信システム。
【発明の詳細な説明】
【技術分野】
【０００１】
本発明は、移動端末、動作モード切替方法及び移動通信システムに関する。
【背景技術】
【０００２】
携帯電話等の移動端末には、無線ＬＡＮ、Ｂｌｕｅｔｏｏｔｈ又はＵＳＢ等の移動端末に付随する付加機能が含まれている。すなわち、移動端末には、移動通信システムの基地局との通信以外の用途に使用される付加機能が含まれている。このような付加機能を使用する際に、使用開始前に付加機能をオンに設定し、使用終了後に付加機能をオフに設定することが望ましい。
【０００３】
また、パソコンと移動端末とをＵＳＢケーブルで接続して通信する場合、移動端末ユーザは、使用する機能に応じて移動端末のＵＳＢモードを設定する必要がある。例えば、パソコンと移動端末との間でデータ転送する場合には、移動端末ユーザは、ＵＳＢモードを通信モードに設定する必要がある。
【０００４】
例えば、特許文献１（特開２００７−２２１５０２号）及び特許文献２（特開２０００−７８６５６号）には、移動端末のエリア情報に基づいてマナーモード及び着信通知を設定する方法が提案されている。しかし、これらの特許文献には、移動端末に付随する付加機能の動作モードの設定に関する具体的な方法は提案されていない。
【先行技術文献】
【特許文献】
【０００５】
【特許文献１】特開２００７−２２１５０２号
【特許文献１】特開２０００−７８６５６号
【発明の概要】
【発明が解決しようとする課題】
【０００６】
無線ＬＡＮ、Ｂｌｕｅｔｏｏｔｈ又はＵＳＢのような移動端末に付随する付加機能の切り替えのために、移動端末ユーザは、移動端末のメニューから手作業で付加機能のオン／オフ又は動作モードを設定する必要がある。また、手作業での設定のため、移動端末ユーザが使用終了後に付加機能をオフに設定し忘れると、移動端末のバッテリを無駄に消費する。
【０００７】
従って、移動端末の在圏情報に基づいて、動作モードを自動的に切り替えることが望まれる。更に、付加機能が使用中である場合には、使用後に動作モードを切り替えることが望ましい。
【０００８】
本発明は、上記の課題のうち少なくとも１つを解決するためになされたものであり、移動端末に付随する付加機能の動作モードを効率的に設定することを目的とする。
【課題を解決するための手段】
【０００９】
本発明の移動端末は、
複数の動作モードを有する機能部；
セル識別子のリストと動作モードとの対応関係を格納する記憶部；
基地局から複数のセル識別子を受信する受信部；及び
前記受信部で受信した複数のセル識別子と前記記憶部に格納されたセル識別子のリストとの比較結果に基づいて、前記機能部の動作モードを選択する制御部；
を有することを特徴の１つとする。
【００１０】
また、本発明の動作モード切替方法は、
複数の動作モードを有する機能部が含まれる移動端末における動作モード切替方法であって：
セル識別子のリストと動作モードとの対応関係を記憶部に格納するステップ；
基地局から複数のセル識別子を受信するステップ；及び
受信した複数のセル識別子と前記記憶部に格納されたセル識別子のリストとの比較結果に基づいて、前記機能部の動作モードを選択するステップ；
を有することを特徴の１つとする。
【００１１】
また、本発明の移動通信システムは、
基地局と移動端末とを有する移動通信システムであって：
前記基地局は、
セル識別子を送信する送信部；
を有し、
前記移動端末は、
複数の動作モードを有する機能部；
セル識別子のリストと動作モードとの対応関係を格納する記憶部；
複数のセル識別子を受信する受信部；及び
前記受信部で受信した複数のセル識別子と前記記憶部に格納されたセル識別子のリストとの比較結果に基づいて、前記機能部の動作モードを選択する制御部；
を有することを特徴の１つとする。
【発明の効果】
【００１２】
本発明の実施例によれば、移動端末に付随する付加機能の動作モードを効率的に設定できる。
【図面の簡単な説明】
【００１３】
【図１】本発明の実施例に係る移動通信システムでの動作モード切替の概念図（その１）
【図２】本発明の実施例に係る移動通信システムでの動作モード切替の概念図（その２）
【図３】本発明の実施例に係る移動端末のブロック図
【図４】本発明の実施例に係る動作モード切替方法のフローチャート
【図５】動作モード登録処理の詳細なフローチャート
【図６】切替判定処理の詳細なフローチャート
【図７】動作モード切替処理の詳細なフローチャート
【図８】本発明の実施例に係る動作モード切替方法により設定される動作モード設定テーブルの例（その１）
【図９】本発明の実施例に係る動作モード切替方法により設定される動作モード設定テーブルの例（その２）
【図１０】各付加機能部の切替判定処理の変形例のフローチャート
【図１１】優先度として使用時間が用いられるときの動作モード設定テーブル
【図１２】優先度として使用時間が用いられるときの動作モード登録処理のフローチャート
【図１３】優先度として使用時間が用いられるときの各付加機能部の切替判定処理のフローチャート
【発明を実施するための形態】
【００１４】
本発明の実施例について、図面を参照して以下に説明する。
【００１５】
本発明の実施例では、移動端末は、在圏情報に基づいて、移動端末に付随する付加機能部の動作モードを自動的に切り替える。なお、在圏情報とは、移動端末の位置を示す情報であり、ここでは、複数のセル識別子（セルＩＤ）の組み合わせが用いられる。
【００１６】
まず、移動端末ユーザが付加機能部の動作モードを切り替えたときに、切り替えた動作モードと在圏情報との対応関係が移動端末の記憶部に格納される。移動端末で受信した現在の在圏情報が記憶部に格納されている在圏情報と一致した場合、対応する動作モードに自動的に切り替えられる。ただし、付加機能部が使用中である場合には、使用終了後に動作モードが切り替えられてもよい。
【００１７】
図１に、本発明の実施例に係る移動通信システムでの動作モード切替の概念図（その１）を示す。移動通信システムは、基地局と移動端末とから構成される。各基地局のサービスエリアはセルと呼ばれる。セルは複数のセクタに分割されてもよい。基地局は、セル毎又はセクタ毎に、セル又はセクタを識別するためのセル識別子（セルＩＤ）を送信する。移動端末は、在圏情報としてセル識別子（セルＩＤ）を利用できる。例えば、セル識別子として、５１２種類のコード（Ｐｒｉｍａｒｙ  Ｓｃｒａｍｂｌｉｎｇ  Ｃｏｄｅ）が用いられてもよい。本発明の実施例では、在圏情報として複数のセル識別子の組み合わせが用いられるため、５１２種類のコードが異なるセルで繰り返し使用される場合であっても、誤判定の可能性を低減できる。
【００１８】
移動端末は、無線ＬＡＮ機能部、Ｂｌｕｅｔｏｏｔｈ機能部又はＵＳＢ機能部のように、移動端末に付随する付加機能部を有する。ここでの付加機能部とは、基地局との通信以外の用途に使用される機能である。例えば、付加機能部は、基地局以外の他の通信相手との通信路を設定して通信してもよい。例えば、無線ＬＡＮ機能部は、無線ＬＡＮのアクセスポイントと通信路を設定して通信でき、Ｂｌｕｅｔｏｏｔｈ機能部は、Ｂｌｕｅｔｏｏｔｈ機能を有する通信相手と通信路を設定して通信でき、ＵＳＢ機能部は、ＵＳＢに接続されたパソコンのような機器と通信路を設定して通信できる。また、付加機能部は、通信を伴わない動作をしてもよい。例えば、ミュージックプレイヤ機能部は、メモリに格納された音楽を再生でき、ラジオ機能部は、電波を受信して音声放送を再生できる。
【００１９】
これらの付加機能部は、移動通信システムの基地局との通信以外の用途に使用されるため、使用開始前にオンに設定され、使用終了後にオフに設定されることが望ましい。例えば、移動端末ユーザが家の中のような登録エリア内で移動端末の無線ＬＡＮ機能部をオンに設定して使用する場合、家の中では無線ＬＡＮ機能部が自動的にオンになり、家の外では無線ＬＡＮ機能部が自動的にオフになることが望ましい。このため、移動端末ユーザが家の中で移動端末の無線ＬＡＮ機能部をオンに設定すると、この動作モードは在圏情報と対応付けられて格納される。例えば、無線ＬＡＮ機能部のオンの動作モードは、基地局ＡのセルＩＤ、基地局ＢのセルＩＤ及び基地局ＣのセルＩＤと対応付けられて格納される。次に、移動端末ユーザが移動端末を持って家に入ると、受信した複数のセルＩＤの組み合わせが記憶部に格納されている在圏情報と一致するため、無線ＬＡＮ機能部が自動的にオンに切り替えられる。
【００２０】
図２に、本発明の実施例に係る移動通信システムでの動作モード切替の概念図（その２）を示す。例えば、移動端末ユーザが家の中のような登録エリア内で移動端末のＵＳＢ機能部をｍｉｃｒｏＳＤモードに設定して使用し、登録エリア外でＵＳＢ機能部を通信モード（モデム通信）に設定して使用する場合、家の中ではＵＳＢ機能部が自動的にｍｉｃｒｏＳＤモードになり、家の外ではＵＳＢ機能部が自動的に通信モードになることが望ましい。しかし、家の外でＵＳＢ機能部の通信モードを使用しているまま家の中に入り、自動的にＵＳＢ機能部がｍｉｃｒｏＳＤモードになると、通信が途中で切断されることになる。このように通信が途中で切断されることは不都合である。このため、ＵＳＢ機能部の通信モードを使用している場合には、通信モードが終了した後にｍｉｃｒｏＳＤモードに設定されてもよい。具体的には、ＵＳＢ機能部に接続されたＵＳＢケーブルが抜去されるまで通信モードが維持され、ＵＳＢケーブルが抜去された後にｍｉｃｒｏＳＤモードに設定されてもよい。
【００２１】
＜移動端末のブロック図＞
図３に、本発明の実施例に係る移動端末１０のブロック図を示す。移動端末１０は、基地局と通信可能な装置である。移動端末１０は、基地局との通信以外の用途に使用可能であり、且つ、複数の動作モードを有する付加機能部を有する。例えば、付加機能部は、基地局以外の他の通信相手との通信路を設定して通信してもよく、通信を伴わない動作をしてもよい。移動端末１０は、無線通信部１０１と、記憶部１０３と、制御部１０５と、表示部１０７と、操作部１０９と、動作モード設定部１１１とを有する。例えば、移動端末１０は、付加機能部として、無線ＬＡＮ機能部１１３ａと、Ｂｌｕｅｔｏｏｔｈ機能部１１３ｂと、ＵＳＢ機能部１１３ｃとを有する。
【００２２】
無線通信部１０１は、基地局から複数のセルＩＤを受信する。受信した複数のセルＩＤは、現在のセルＩＤリストとして制御部１０５に通知される。
【００２３】
記憶部１０３は、無線通信部１０３で受信した複数のセルＩＤ（現在のセルＩＤリスト）を格納してもよい。また、記憶部１０３は、付加機能部毎に動作モードと在圏情報との対応関係を格納した動作モード設定テーブルを有する。例えば、Ｂｌｕｅｔｏｏｔｈ機能部１１３ｂ用の動作モード設定テーブルには、Ｂｌｕｅｔｏｏｔｈがオンに設定されるときのセルＩＤリストと、Ｂｌｕｅｔｏｏｔｈがオフに設定されるときのセルＩＤリストとが格納される。例えば、ＵＳＢ機能部１１３ｃ用の動作モード設定テーブルには、ＵＳＢが通信モードに設定されるときのセルＩＤリストと、ＵＳＢがｍｉｃｒｏＳＤモードに設定されるときのセルＩＤリストと、ＵＳＢがＭＴＰ（Media  Transfer  Protocol）モードに設定されるときのセルＩＤリストとが格納される。なお、動作モード設定テーブルに、各動作モードの優先度が更に格納されてもよい。例えば、優先度は、複数の動作モードが切り替え対象に該当する場合に用いられる。
【００２４】
記憶部１０３は、セルＩＤ自動登録機能の有効／無効状態と、自動モード切替機能の有効／無効状態とを格納した状態保存テーブルを有してもよい。セルＩＤ自動登録機能が有効である場合には、動作モードが切り替えられたときに動作モード設定テーブルの在圏情報が更新される。具体的な更新手順については後述する。例えば、移動端末ユーザが日常的に行かない場所では、セルＩＤ自動登録機能を無効状態にしておくことで、動作モード設定テーブルの在圏情報に不要なセルＩＤが登録されることを防止できる。また、自動モード切替機能が有効である場合には、動作モードの切り替え条件に合致するときに動作モードが自動的に切り替えられる。例えば、移動端末ユーザが日常的に行かない場所では、自動モード切替機能を無効状態にしておくことで、セルＩＤの誤判定による意図しない動作モード切替を防止できる。
【００２５】
制御部１０５は、受信した複数のセルＩＤ（又は記憶部１０３の現在のセルＩＤリスト）と、記憶部１０３の動作モード設定テーブルに格納されたセルＩＤリストとを比較し、付加機能部の動作モードを切り替えるか否かを判定する。例えば、受信した複数のセルＩＤ（又は記憶部１０３の現在のセルＩＤリスト）と、記憶部１０３の動作モード設定テーブルに格納されたセルＩＤリストとを比較し、所定数以上のセルＩＤ（例えば、３つ以上のセルＩＤ）が一致する場合に、対応する動作モードを選択する。複数の動作モードが条件に一致して選択された場合、制御部１０５は、優先度の高い方の動作モードを選択してもよい。選択された動作モードは、動作モード設定部１１１に通知される。
【００２６】
動作モード設定部１１１は、制御部１０５で選択された動作モードに従って、各付加機能部の動作モードを切り替える。ただし、付加機能部が使用中である場合、使用終了後に動作モードを切り替える。なお、使用終了とは、付加機能の動作がオフになった状態又は停止した状態を言う。例えば、付加機能が基地局以外の他の通信相手との通信路を設定して通信する場合、使用終了とは、付加機能部に設定された通信路が切断された状態を言う。例えば、無線ＬＡＮ機能部１１３ａの使用終了とは、無線ＬＡＮのアクセスポイントの通信圏外になったときでもよく、Ｂｌｕｅｔｏｏｔｈ機能部１１３ｂの使用終了とは、通信相手の電源がオフになったときでもよく、ＵＳＢ機能部１１３ｃの使用終了とは、ＵＳＢ機能部１１３に接続されたＵＳＢケーブルが抜去されたときでもよい。
【００２７】
表示部１０７は、セルＩＤ自動登録機能及び自動モード切替機能の有効／無効状態を表示する。また、表示部１０７は、動作モード設定テーブルに格納された各動作モードの優先度を表示する。
【００２８】
操作部１０９は、移動端末ユーザからセルＩＤ自動登録機能及び自動モード切替機能の有効／無効状態を受け付ける。また、操作部１０９は、移動端末ユーザから各動作モードの優先度を受け付ける。移動端末ユーザから入力された情報は、記憶部１０３に格納される。なお、セルＩＤ自動登録機能、自動モード切替機能及び優先度は、必ずしも操作部１０９を介して入力される必要はなく、ユーザの手間を低減するために移動端末の出荷時等に初期値が設定されてもよい。
【００２９】
＜動作モード切替方法のフローチャート＞
図４に、本発明の実施例に係る動作モード切替方法のフローチャートを示す。まず、動作モード登録処理（Ｓ１１）において、付加機能部の動作モードと在圏情報との対応関係が登録される。最初は、移動端末ユーザが手動で動作モードを切り替える。このときに動作モードと在圏情報との対応関係が登録される。次に、切替判定処理（Ｓ１２）において、移動端末はセルＩＤを受信し、受信したセルＩＤに変化がある場合、各付加機能部の切替判定を実行する。各付加機能部の切替判定では、受信した複数のセルＩＤと記憶部に格納されたセルＩＤリストとの比較に基づいて、付加機能部の動作モードを切り替えるか否かが判定される。次に、動作モード切替処理（Ｓ１３）において、付加機能部の動作モードが切り替えられる。ただし、付加機能部が使用中である場合、使用終了後に動作モードが切り替えられてもよい。なお、動作モードが切り替えられたときに、動作モード登録処理（Ｓ１１）に戻り、切り替えられた動作モードに対応する在圏情報が更新されてもよい。その後、切替判定処理（Ｓ１２）で、受信したセルＩＤの変化が監視される。
【００３０】
図５〜図９を参照して、これらの各処理の詳細な手順を説明する。ここでは、図３の移動端末１０の構成要素を用いて各処理の手順を説明するが、これらの手順は、他の構成要素により実行されてもよい。
【００３１】
図５に、動作モード登録処理の詳細なフローチャートを示す。まず、記憶部１０３に格納されたセルＩＤ自動登録機能が有効状態であるか無効状態であるかが判定される（Ｓ１１１）。無効状態である場合、記憶部１０３に動作モードと在圏情報との対応関係は登録されず、処理が終了する。セルＩＤ自動登録機能が有効状態である場合、制御部１０５は、動作モードと在圏情報との対応関係を記憶部１０３に格納する（Ｓ１１３）。具体的には、各付加機能部で動作モードが切り替えられたときに、制御部１０５は、無線通信部１０１で受信した複数のセルＩＤ（又は記憶部１０３の現在のセルＩＤリスト）を、切り替えた動作モードと対応付けて、記憶部１０３の動作モード設定テーブルに格納する。最初は、動作モード設定テーブルに在圏情報が格納されていないため、移動端末ユーザが手動で動作モードを切り替える必要がある。このとき、セルＩＤ（現在のセルＩＤリスト）が動作モードと対応付けられて動作モード設定テーブルに格納される。例えば、図８（Ｂ）に示すように、移動端末ユーザがＢｌｕｅｔｏｏｔｈ機能部１１３ｂの動作モードをオフに設定したときに、設定時のセルＩＤ（５，２４，５９，２０５）がオフモードに対応付けられて、Ｂｌｕｅｔｏｏｔｈ機能部１１３ｂ用の動作モード設定テーブルに格納される。また、移動端末ユーザがＢｌｕｅｔｏｏｔｈ機能部１１３ｂの動作モードをオンに設定したときに、設定時のセルＩＤ（１２，７７，１３６）がオンモードに対応付けられて、Ｂｌｕｅｔｏｏｔｈ機能部１１３ｂ用の動作モード設定テーブルに格納される。更に、図９（Ｂ）に示すように、移動端末ユーザがＵＳＢ機能部１１３ｃの動作モードを通信モードに設定したときに、設定時のセルＩＤ（１２，７７）が通信モードに対応付けられて、ＵＳＢ機能部１１３ｃ用の動作モード設定テーブルに格納される。また、移動端末ユーザがＵＳＢ機能部１１３ｃの動作モードをｍｉｃｒｏＳＤモードに設定したときに、設定時のセルＩＤ（７７，１３６）がｍｉｃｒｏＳＤモードに対応付けられて、ＵＳＢ機能部１１３ｃ用の動作モード設定テーブルに格納される。また、移動端末ユーザがＵＳＢ機能部１１３ｃの動作モードをＭＴＰモードに設定したときに、設定時のセルＩＤ（５，１４，３４）がＭＴＰモードに対応付けられて、ＵＳＢ機能部１１３ｃ用の動作モード設定テーブルに格納される。なお、無線通信部１０１で受信したセルＩＤは、付加機能部で設定された動作モードが用いられている期間中、動作モード設定テーブルに格納され続けなくてもよい。無線通信部１０１で受信したセルＩＤ（現在のセルＩＤリスト）は、付加機能部の動作モードが切り替えられたときに格納される。これにより、動作モード設定テーブルに格納されるセルＩＤリストの長さを低減できる。
【００３２】
図６に、切替判定処理の詳細なフローチャートを示す。まず、無線通信部１０１で受信した複数のセルＩＤのうち少なくとも１つのセルＩＤが変化すると（Ｓ１３１）、記憶部１０３に格納された自動モード切替機能が有効状態であるか無効状態であるかが判定される（Ｓ１３１）。無効状態である場合、各付加機能部の動作モードは切り替えられず、処理が終了する。自動モード切替機能が有効である場合、各付加機能部の切替判定処理が実行される。
【００３３】
各付加機能部の切替判定処理では、制御部１０５は、受信した複数のセルＩＤ（又は記憶部１０３の現在のセルＩＤリスト）と記憶部１０３の動作モード設定テーブルに格納されたセルＩＤリストとを比較する（Ｓ１４１）。例えば、３つ以上のセルＩＤが格納されている動作モード設定テーブルの中で、受信した複数のセルＩＤと３つ以上のセルＩＤが一致するか否かが判定される（Ｓ１４２）。３つ以上のセルＩＤが一致しない場合、２つのセルＩＤが格納されている動作モード設定テーブルの中で、受信した複数のセルＩＤと２つのセルＩＤが一致するか否かが判定される（Ｓ１４３）。更に、２つのセルＩＤが一致しない場合、１つのセルＩＤが格納されている動作モード設定テーブルの中で、受信した複数のセルＩＤと１つのセルＩＤが一致するか否かが判定される（Ｓ１４４）。セルＩＤが一致しない場合、処理が終了する。すなわち、付加機能部の動作モードは切り替えられない。Ｓ１４２において３つ以上のセルＩＤが一致する場合、Ｓ１４３において２つのセルＩＤが一致する場合、又はＳ１４４において１つのセルＩＤが一致する場合、制御部１０５は、一致したリストが１つであるか否かを判定する（Ｓ１４５）。複数のリストに一致する場合、すなわち、複数の動作モードが切り替え対象に該当する場合、制御部１０５は、優先度を考慮し、優先度の高い方の動作モードを選択する（Ｓ１４７）。例えば、図８（Ａ）に示すように、受信した複数のセルＩＤ（現在のセルＩＤリスト）が（１２，４５，７７，１３６）である場合、Ｂｌｕｅｔｏｏｔｈ機能部１１３ｂ用の動作モード設定テーブルの中で、３つのセルＩＤ（１２，７７，１３６）が一致するオンモード（１２，７７，１３６）が存在する。従って、制御部１０５は、オンの動作モードを選択する。更に、図９（Ａ）に示すように、受信した複数のセルＩＤが（１２，４５，７７，１３６）である場合、ＵＳＢ機能部用の動作モード設定テーブルの中で、３つ以上のセルＩＤが一致する動作モードは存在しないが、２つのセルＩＤが一致する通信モード（１２，７７）及びｍｉｃｒｏＳＤモード（７７，１３６）が存在する。これらの動作モードのうち、制御部１０５は、優先度の高い方の通信モードを選択する。このような付加機能部の切替判定処理が、各付加機能部について繰り返される。
【００３４】
なお、図６のフローチャートでは、セルＩＤの比較において、３つ以上のセルＩＤ、２つのセルＩＤ及び１つのセルＩＤとの一致が順に判定されているが、他の判定条件が用いられてもよい。例えば、４つ以上のセルＩＤ、３つのセルＩＤ、２つのセルＩＤ及び１つのセルＩＤとの一致が順に判定されてもよい。別の例として、２つ以上のセルＩＤ及び１つのセルＩＤとの一致が順に判定されてもよい。
【００３５】
図７に、動作モード切替処理の詳細なフローチャートを示す。まず、動作モード設定部１１１は、制御部１０５で選択された動作モードを受け取ると、現在の動作モードで付加機能部が使用中であるか否かを判定する（Ｓ１５１）。使用中である場合、使用終了まで待機する（Ｓ１５３）。使用終了後、動作モード設定部１１１は、制御部１０５で選択された動作モードに切り替える（Ｓ１５５）。
【００３６】
動作モード切替処理の後に、更に動作モード登録処理が実行される。動作モード切替判定処理及び動作モード切替処理に従って自動的に動作モードが切り替えられたときでも、切替判定の向上のために、動作モード設定テーブルの在圏情報が更新される方が好ましい。図５を参照して説明したように、記憶部１０３に格納されたセルＩＤ自動登録機能が有効状態であるか無効状態であるかが判定される（Ｓ１１１）。無効状態である場合、記憶部１０３に在圏情報は更新されず、処理が終了する。セルＩＤ自動登録機能が有効状態である場合、制御部１０５は、動作モードと在圏情報との対応関係を記憶部１０３に更新する（Ｓ１１３）。具体的には、受信した複数のセルＩＤのうち、在圏情報として動作モード設定テーブルに格納されていないセルＩＤが存在する場合には、制御部１０５は、動作モード設定テーブルのセルＩＤリストを更新する。例えば、図８（Ａ）に示すように、受信した複数のセルＩＤ（現在のセルＩＤリスト）が（１２，４５，７７，１３６）であり、Ｂｌｕｅｔｏｏｔｈ機能部１１３ｂがオンに自動的に設定された場合、図８（Ｃ）に示すように、オンモードに対応する動作モード設定テーブルに格納されていないセルＩＤ（４５）がオンモードの在圏情報として追加される。更に、図９（Ａ）に示すように、受信した複数のセルＩＤ（現在のセルＩＤリスト）が（１２，４５，７７，１３６）であり、ＵＳＢ機能部１１３ｃが通信モードに自動的に設定された場合、通信モードに対応する動作モード設定テーブルに格納されていないセルＩＤ（４５，１３６）が通信モードの在圏情報として追加される。
【００３７】
＜各付加機能部の切替判定処理の変形例のフローチャート＞
図１０に、各付加機能部の切替判定処理の変形例のフローチャートを示す。この変形例では、動作モード設定テーブルに格納されたセルＩＤが例えば３つ未満である動作モードについては、切替判定処理の対象としない。
【００３８】
具体的には、制御部１０５は、受信した複数のセルＩＤ（又は記憶部１０３の現在のセルＩＤリスト）と記憶部１０３の動作モード設定テーブルに格納されたセルＩＤリストとを比較する（Ｓ２４１）。例えば、３つ以上のセルＩＤが格納されている動作モード設定テーブルの中で、受信した複数のセルＩＤと３つ以上のセルＩＤが一致するか否かが判定される（Ｓ２４２）。３つ以上のセルＩＤが一致しない場合、処理が終了する。すなわち、付加機能部の動作モードは切り替えられない。Ｓ２４２において３つ以上のセルＩＤが一致する場合、制御部１０５は、一致したリストが１つであるか否かを判定する（Ｓ２４５）。複数のリストに一致する場合、すなわち、複数の動作モードが切り替え対象に該当する場合、制御部１０５は、優先度を考慮し、優先度の高い方の動作モードを選択する（Ｓ２４７）。例えば、図９（Ｂ）に示すように、ＵＳＢ機能部１１３ｃ用の動作モード設定テーブルに格納されたセルＩＤの中で、２つのセルＩＤが格納されている通信モード及びｍｉｃｒｏＳＤモードとの判定は実行されない。この変形例によれば、セルＩＤの誤判定による意図しない動作モード切替を防止できる。
【００３９】
なお、図１０のフローチャートでは、切替判定処理の対象としない条件として、動作モード設定テーブルに格納されたセルＩＤが３つ未満である場合を示しているが、異なるセルＩＤが用いられてもよい。例えば、動作モード設定テーブルに格納されたセルＩＤが４つ未満である場合に、切替判定の対象としなくてもよい。別の例として、動作モード設定テーブルに格納されたセルＩＤが２つ未満である場合に、切替判定の対象としなくてもよい。
【００４０】
＜使用時間を用いた変形例のフローチャート＞
図１１〜図１３を参照して、優先度として使用時間を用いた変形例について説明する。上記のように、複数の動作モードが切り替え対象に該当する場合、優先度の高い方の動作モードが選択される。優先度として使用時間が用いられる場合、複数の動作モードが切り替え対象に該当する場合、使用時間の長い方の動作モードが選択される。
【００４１】
図１１に、優先度として使用時間が用いられるときの動作モード設定テーブルを示す。動作モード設定テーブルには、優先度として、各動作モードを使用した合計の使用時間が格納されてもよい。
【００４２】
図１２に、優先度として使用時間が用いられるときの動作モード登録処理のフローチャートを示す。まず、記憶部１０３に格納されたセルＩＤ自動登録機能が有効状態であるか無効状態であるかが判定される（Ｓ３１１）。無効状態である場合、記憶部１０３に動作モードと在圏情報との対応関係は登録されず、処理が終了する。セルＩＤ自動登録機能が有効状態である場合、制御部１０５は、動作モードと在圏情報との対応関係を記憶部１０３に格納する（Ｓ３１３）。具体的には、手動又は自動で動作モードが切り替えられたときに、制御部１０５は、無線通信部１０１で受信した複数のセルＩＤ（又は記憶部１０３の現在のセルＩＤリスト）を、切り替えた動作モードと対応付けて、記憶部１０３の動作モード設定テーブルに格納する。更に、制御部１０５は、動作モード設定テーブルの該当する動作モードに、使用時間を加算する（Ｓ３１５）。
【００４３】
図１３に、優先度として使用時間が用いられるときの各付加機能部の切替判定処理のフローチャートを示す。Ｓ３４１〜Ｓ３４５は、図６のＳ１４１〜Ｓ１４５と同じ処理であるため、説明を省略する。複数のリストに一致する場合、すなわち、複数の動作モードが切り替え対象に該当する場合、制御部１０５は、使用時間を考慮する（Ｓ３４６）。例えば、制御部１０５は使用時間を比較し、これらの使用時間が同じである場合には、動作モードが一意に特定されないため、処理を終了する。使用時間が異なる場合、制御部１０５は、使用時間の長い方の動作モードを選択する（Ｓ３４７）。
【００４４】
なお、図１３に示すフローチャートにおいても、図１０を参照して説明した変形例と同様に、動作モード設定テーブルに格納されたセルＩＤが例えば３つ未満である場合、動作モードを切り替えなくてもよい。
【００４５】
以上のように、本発明の実施例によれば、移動端末ユーザが各付加機能部の動作モードを設定する手間を低減できる。
【００４６】
また、制御部１０５が複数のセルＩＤの組み合わせによって動作モードの切り替えを判定するため、切り替えの誤判定の可能性が低減される。このため、移動端末ユーザが意図しない場所で付加機能部がオンに設定されず、バッテリを無駄に消費する可能性が低減される。更に、セルＩＤとしてＰｒｉｍａｒｙ  Ｓｃｒａｍｂｌｉｎｇ  Ｃｏｄｅが用いられる場合、移動端末は、受信した信号から在圏情報を判定できる。例えば、ＧＰＳ測位や基地局測位では、ネットワークとの通信が必要になるが、Ｐｒｉｍａｒｙ  Ｓｃｒａｍｂｌｉｎｇ  Ｃｏｄｅを用いた場合では、移動端末単独で在圏情報を判定可能であり、ネットワークとの通信を必要としない。
【００４７】
更に、本発明の実施例によれば、切り替え対象の付加機能部が使用中である場合、動作モード設定部１１１は、使用終了後に動作モードを切り替える。このため、使用中の動作モードの中断が回避される。
【００４８】
また、記憶部１０３でセルＩＤ自動登録機能及び自動モード切替機能を設定できる。このため、移動端末ユーザが日常的に行かない場所では、これらの機能を無効状態にしておくことで、セルＩＤの誤判定による意図しない動作モード切替を防止できる。
【００４９】
更に、優先度として使用時間が用いられる場合、移動端末ユーザが優先度を設定する手間を低減できる。
【符号の説明】
【００５０】
１０      移動端末
１０１    無線通信部
１０３    記憶部
１０５    制御部
１０７    表示部
１０８    操作部
１１１    動作モード設定部
１１３ａ  無線ＬＡＮ機能部
１１３ｂ  Ｂｌｕｅｔｏｏｔｈ機能部
１１３ｃ  ＵＳＢ機能部
【図１】
2010251984.tif 000003
【図２】
2010251984.tif 000004
【図３】
2010251984.tif 000005
【図４】
2010251984.tif 000006
【図５】
2010251984.tif 000007
【図６】
2010251984.tif 000008
【図７】
2010251984.tif 000009
【図８】
2010251984.tif 000010
【図９】
2010251984.tif 000011
【図１０】
2010251984.tif 000012
【図１１】
2010251984.tif 000013
【図１２】
2010251984.tif 000014
【図１３】
2010251984.tif 000015